(57)【要約】【課題】ローラを転がせたときのように押圧力の作用する部位が連続的に移動する新しいマッサージ感覚の得られるマット式エアーマッサージ装置を提供すること。【解決手段】マットの上面長手方向に短冊状エアーバッグを並列に配置し、このエアーバッグを順次膨張収縮させることにより、押圧力が順次移動するような感覚を与えるマッサージを行う。【選択図】        図５
2004195117.tif 000002
【特許請求の範囲】
【請求項１】
平面視長方形状のマットと、このマットの上面長手方向に並列して配置された４個以上の短冊状エアーバッグと、エアーバッグにエアーを給気し、又はエアーバッグのエアーを排気するエアー給排気装置と、エアーバッグを所定運転モードで給排気するように給排気装置を制御する制御装置とを備え、前記所定運転モードは、前記給排気装置を作動させることにより、並列に配置したエアーバッグを順次給排気して順次膨張収縮させるとともに、先に膨張させたエアーバッグとこれに続いて後から膨張させる隣接のエアーバッグとの膨張タイミングをオーバーラップさせるように制御するものであることを特徴とするマット式エアーマッサージ装置。
【請求項２】
前記所定運転モードは、一端側から他端側に向けて一方向に順次エアーバッグを膨張収縮させることを１サイクルとするように構成されてなることを特徴とする請求項１記載のマット式エアーマッサージ装置。
【請求項３】
前記所定運転モードは、一端側から他端側に向けて往復するようにエアーバッグを順次膨張収縮させることを１サイクルとするように構成されてなることを特徴とする請求項１記載のマット式エアーマッサージ装置。
【請求項４】
前記所定運転モードは、一端側から他端側に向けて一方向に順次エアーバッグを膨張収縮させることを１サイクルとする運転モードと、一端側から他端側に向けて往復するようにエアーバッグを順次膨張収縮させることを１サイクルとする運転モードとを手動で選択可能に又は自動的に切換可能に構成されてなることを特徴とする請求項１〜３の何れか１項記載のマット式エアーマッサージ装置。
【請求項５】
前記エアー給排気装置は、吐出風量を５０Ｌ／ｍｉｎ以下、エアーバッグの内圧を０．５ｋｇｆ／ｃｍ2Ｇ以下とし、また、前記エアーバッグは、長さ５０〜８００ｍｍ、幅５０〜１５０ｍｍの大きさとして形成され、前記所定運転モードは、エアーバッグの給気時間を０．０５〜１．０ｓｅｃ、隣接するエアーバッグ間の給気タイミング時間差を０．０３〜１．０ｓｅｃ、オーバーラップ時間をエアーバッグの給気時間の１／３以下とすることを特徴とする請求項１〜４の何れか１項記載のマット式エアーマッサージ装置。
【請求項６】
平面視長方形状のマットと、このマットの上面長手方向に部分的に重なるように並列に配置された４個以上の短冊状エアーバッグと、エアーバッグにエアーを給気し、又はエアーバッグのエアーを排気するエアー給排気装置と、エアーバッグを所定運転モードで給排気するように前記給排気装置を制御する制御装置とを備え、前記所定運転モードは、前記給排気装置を作動させることにより、並列に配置したエアーバッグを順次給排気して順次膨張収縮させるとともに、先に膨張させたエアーバッグを収縮させると同時にこのエアーバッグに隣接する次のエアーバッグを膨張させるように制御するものであることを特徴とするマット式エアーマッサージ装置。
【請求項７】
前記エアーバッグは、長さ５０〜８００ｍｍ、幅５０〜１５０ｍｍの大きさとして形成され、更に、前記エアーバッグの部分的重なり寸法がエアーバッグの幅寸法の約１／３となるように形成されてなることを特徴とする請求項６記載のマット式エアーマッサージ装置。
【請求項８】
前記複数のエアーバッグは、脚部を押圧可能とするように配置されてなることを特徴とする請求項１〜７の何れか１項に記載されたマット式エアーマッサージ装置。
【請求項９】
前記複数のエアーバッグは、腰部を押圧可能とするように配置されてなることを特徴とする請求項１〜７の何れか１項に記載されたマット式エアーマッサージ装置。
【請求項１０】
前記エアーバッグは、脚部を押圧可能とするように配置されたものと、腰部を押圧可能とするように配置されたものとから成ることを特徴とする請求項１〜７の何れか１項に記載されたマット式エアーマッサージ装置。
【発明の詳細な説明】
【０００１】
【発明の属する技術分野】
本発明は、マットに複数のエアーバッグを配設し、エアー給排気装置の作動によりエアーバッグを給排気して膨張収縮させるマット式エアーマッサージ装置に関する。
【０００２】
【従来の技術】
マットに複数のエアーバッグを配設し、エアー給排気装置の作動によりエアーバッグを給排気して膨張収縮させるマット式エアーマッサージ装置としては、例えば、特許文献１に記載されているようなものが従来知られている。このものでは、エアーバッグは、首部、背中部、脇腹部、腰部、脚部などの複数の被施療部位のために複数のエアーバッグが配設されていた。また、運転モードとしては、被施療部位の順序を配慮したもの、被施療部位の揉み解し時間に応じて押圧力を変化させるものなどの運転モードが行われていた。
【０００３】
【特許文献１】
特開平１１−７６３３２号公報
【０００４】
【発明が解決しようとする課題】
しかしながら、これら運転モードは、被施療部位に対し押圧力の作用する部位が変化する感覚を与えるものではない。また、エアーバッグを使用してこのような感覚を与えるマッサージ装置も未だ開発されていない。なお、被施療部位に対し押圧力の作用する部位が変化する感覚を与えるものとして、固体ローラを転がせることにより、押圧力の作用する部位を連続的に移動させるものが考えられるが、固体ローラを転がせるものでは、ローラ自体に弾力性がなく被施療部位に対し傷みを与えるという欠陥がある。
【０００５】
本発明はこのような従来技術の現状に着目してなされたものである。その目的とするところは、ローラを転がせたときのように押圧力の作用する部位が連続的に移動する新しいマッサージ感覚の得られるマット式エアーマッサージ装置を提供することにある。
【０００６】
【課題を解決するための手段】
上記目的を達成するために、本発明に係る第１のマット式エアーマッサージ装置は、平面視長方形状のマットと、このマットの上面長手方向に並列に配置された４個以上の短冊状エアーバッグと、エアーバッグにエアーを給気し、又はエアーバッグのエアーを排気するエアー給排気装置と、エアーバッグを所定運転モードで給排気するように給排気装置を制御する制御装置とを備え、前記所定運転モードは、前記給排気装置を作動させることにより、並列に配置したエアーバッグを順次給排気して順次膨張収縮させるとともに、先に膨張させたエアーバッグとこれに続いて後から膨張させる隣接のエアーバッグとの膨張タイミングをオーバーラップさせるように制御するものであることを特徴とする。
【０００７】
このマット式エアーマッサージ装置によれば、複数の短冊状エアーバッグを順次膨張収縮させるとともに、先に膨張させたエアーバッグとこれに続いて後から膨張させる隣接のエアーバッグとの膨張タイミングをオーバーラップさせることにより、ローラを転がせたときのように押圧力の作用する部位が連続的に移動する感覚を与える新しいマッサージが可能となる。また、このマット式エアーマッサージ装置によれば、通常の固体ローラを転がせるのと違い弾力性に富んだ押圧力が作用するため、被施療部位に傷みを与えることもなく、快適な感触を得ることができる。なお、発明者が種々実験を積み重ねた結果、押圧力の作用する部位が連続的に移動する感覚を得るためには、少なくとも４個以上の短冊状エアーバッグを並列的に並べる必要のあることが確認されている。
【０００８】
また、前記所定運転モードを、一端側から他端側に向けて一方向に順次エアーバッグを膨張収縮させることを１サイクルとするように構成してもよい。
このように構成することにより、押圧力の作用する部位が常に一定方向に連続的に移動する感覚を与えるマッサージが可能となる。
【０００９】
また、前記所定運転モードを、一端側から他端側に向けて往復するようにエアーバッグを順次膨張収縮させることを１サイクルとするように構成してもよい。
このように構成することにより、押圧力の作用する部位が連続的に往復移動する感覚を与えるマッサージが可能となる。
【００１０】
また、前記所定運転モードを、一端側から他端側に向けて一方向に順次エアーバッグを膨張収縮させることを１サイクルとする運転モードと、一端側から他端側に向けて往復するようにエアーバッグを順次膨張収縮させることを１サイクルとする運転モードとを手動で選択可能に又は自動的に切換可能に構成してもよい。
このように構成すると、使用者の好みにより、押圧力の作用する部位が常に一定方向に連続的に移動する感覚を与えるマッサージと、押圧力の作用する部位が連続的に往復移動する感覚を与えるマッサージとを適宜選択したり、ミックスさせて運転したりすることが可能となる。
【００１１】
また、このように構成されたマット式エアーマッサージ装置において、前記エアー給排気装置の吐出風量を５０Ｌ／ｍｉｎ以下、エアーバッグの内圧を０．５ｋｇｆ／ｃｍ2Ｇ以下とし、前記エアーバッグの大きさを長さ５０〜８００ｍｍ、幅５０〜１５０ｍｍとし、また、前記所定運転モードを、エアーバッグの給気時間を０．０５〜１．０ｓｅｃ、隣接するエアーバッグ間の給気タイミング時間差を０．０３〜１．０ｓｅｃ、オーバーラップ時間をエアーバッグの給気時間の１／３以下となるように構成することが好ましい。
このように構成すると、ローラを転がせたときのように押圧力の作用する部位が連続的に移動する新しいマッサージ感覚を効果的に発揮させ得ることが実験的に確認された。
【００１２】
また、前記目的を達成するために、本発明に係る第２のマット式エアーマッサージ装置は、平面視長方形状のマットと、このマットの上面長手方向に部分的に重なるように並列に配置された４個以上の短冊状エアーバッグと、エアーバッグにエアーを給気し、又はエアーバッグのエアーを排気するエアー給排気装置と、エアーバッグを所定運転モードで給排気するように前記給排気装置を制御する制御装置とを備え、前記所定運転モードは、前記給排気装置を作動させることにより、並列に配置したエアーバッグを順次給排気して順次膨張収縮させるとともに、先に膨張させたエアーバッグを収縮させると同時にこのエアーバッグに隣接する次のエアーバッグを膨張させるように制御するものであることを特徴とする。
このように構成すると、短冊状エアーバッグがマットの上面において長手方向に部分的に重なるように並列して配置されるとともに、先に膨張させたエアーバッグを収縮させると同時にこのエアーバッグに隣接する次のエアーバッグを膨張させているので、ローラを転がせたときのように押圧力の作用する部位が連続的に移動する感覚を与える新しいマッサージが可能となる。また、このマット式エアーマッサージ装置によれば、通常の固体ローラを転がせるのと違い弾力性に富んだ押圧力が作用するため、被施療部位に傷みを与えることもなく、快適な感触を得ることができる。なお、発明者が種々実験を積み重ねた結果、押圧力の作用する部位が連続的に移動する感覚を得るためには、少なくとも４個以上の短冊状エアーバッグを並列的に並べる必要のあることが確認されている。
【００１３】
また、この第２のマット式エアーマッサージ装置において、前記エアーバッグを、長さ５０〜８００ｍｍ、幅５０〜１５０ｍｍの大きさとし、更に、前記エアーバッグの部分的重なり寸法を、エアーバッグの幅寸法の約１／３となるように構成することが好ましい。
このように構成すると、ローラを転がせたときのように押圧力の作用する部位が連続的に移動する新しいマッサージ感覚をより効果的に発揮させることができる。
【００１４】
また、上記第１及び第２のマット式エアーマッサージ装置において、前記複数のエアーバッグを、脚部を押圧可能とするように配置してもよい。また、前記複数のエアーバッグを、腰部を押圧可能とするように配置してもよい。
このように構成すると、ローラを転がせたときのように押圧力の作用する部位が連続的に移動する新しい感覚のマッサージを脚部や腰部に対しマッサージすることができる。
【００１５】
また、上記第１及び第２のマット式エアーマッサージ装置において、前記複数のエアーバッグを、脚部を押圧可能とするように配置したものと、腰部を押圧可能とするように配置したものとで構成してもよい。
このように構成すると、ローラを転がせたときのように押圧力の作用する部位が連続的に移動する新しい感覚のマッサージを、脚部と腰部とに対し同時に行うことができる。
【００１６】
【発明の実施の形態】
（実施の形態１）
以下、この発明を具体化した実施の形態１に係るマット式エアーマッサージ装置を図１〜図５に基づいて説明する。図１は本発明の実施の形態１に係るマット式エアーマッサージ装置の外観斜視図である。図２は同マット式エアーマッサージ装置の上面に綿パッドを示した外観斜視図である。また、図３は同マット式エアーマッサージ装置の配管系統図である。図４は同マット式エアーマッサージ装置におけるエアーバッグの平面配置と膨張収縮の状態とを対比して示した図であり、上部にエアーバッグの平面配置を、中間部に収縮時のエアーバッグの側面図を、下部にエアーバッグの膨張時の側面図を対比的に示したものである。図５は同マット式エアーマッサージ装置におけるエアーバッグの膨張収縮のタイミングを示した図である。
【００１７】
実施の形態１に係るマット式エアーマッサージ装置は、図１に示すように、このマッサージ装置本体としてのマット１、マット１上面に配設されるエアーバッグ装置２、エアーバッグ装置２にエアーを給気し、又はエアーバッグ装置２のエアーを排気するエアー給排気装置３（図３参照）、エアーバッグ装置２を所定運転モードで給排気するようにエアー給排気装置３を制御する制御装置４、マット１及びエアーバッグ装置２の上面を覆う綿パッド５などから構成されている。なお、図１において、符号６はマット式エアーマッサージ装置を操作するコントローラを示す。
【００１８】
マット１は、身体支持台として平面視長方形状でかつ肉厚に形成されている。また、マット１は、例えば通気性を有する発泡ウレタンフォームなどからなる軟質部材により構成されている。そして、マット１上に使用者がマッサージをするために仰向けに横たわった場合に、使用者の足側のマット１の端部に、エアー給排気装置３の一部部品やこのエアー給排気装置３を制御する制御装置４などを収納する機器室１１が形成されている。
【００１９】
エアーバッグ装置２は、４個のエアーバッグ２１、２２、２３、２４から構成されている。また、各エアーバッグ２１、２２、２３、２４は、収縮時においては短冊状をなし、膨張時においては周辺部を残して上下方向に膨らむように形成されており、周辺部の上下２個所に固定具２１ａ、２２ａ、２３ａ、２４ａが形成されている（図４参照）。この固定具２１ａ、２２ａ、２３ａ、２４ａとしては、エアーバッグ２１、２２、２３、２４側にボタン孔を開け、マット１側にボタンを取り付けるようにしたもの、エアーバッグ２１、２２、２３、２４側及びマット１側の双方に面状ファスナーを設けたもの、エアーバッグ２１、２２、２３、２４の上面からマット１に形成されたネジ孔に向けてネジを捩じ込むものなどの適宜の手段が用いられている。
【００２０】
また、エアーバッグ装置２は、使用者がマット１上に仰向けに横たわった場合に、使用者の脚部の脹脛部分又は脹脛から太股部分を押圧し得る位置に取り付けられている。また、各エアーバッグ２１、２２、２３、２４の大きさは、使用者の脹脛部分又は脹脛から太股部分に４個以上の個数のエアーバッグが接触し得る大きさとされている。また、各エアーバッグ２１、２２、２３、２４は、図１及び図４に示されるように隣接するエアーバッグ２１、２２、２３、２４に重ならない程度に相互間を近づけてマット１上に取り付けられている。
【００２１】
綿パッド５は、使用者の身体とマット１、エアーバッグ装置２などの器具とが直接触れることのないようにして、肌触り感を良好にするものであって、マット１の上面及びエアーバッグ装置２の上面を覆うように取り付けられる。また、綿パッド５は、洗濯可能とするようにマット１及びエアーバッグ装置２とは別部材として単独で取扱いのできる部材として形成されている。
【００２２】
エアー給排気装置３は、エアーバッグ装置２にエアーを給気し、又はエアーバッグ装置２のエアーを排気するものであって、エアーポンプ３１、エアーポンプ３１から吐出されたエアーを各エアーバッグ２１、２２、２３、２４へ給気する主エアーホース３２、各エアーバッグ２１、２２、２３、２４と主エアーホース３２とを接続する分岐エアーホース３３ａ、３３ｂ、３３ｃ、３３ｄ、各分岐エアーホース３３ａ、３３ｂ、３３ｃ、３３ｄに介在するように設けられた４個の三方電磁弁３５ａ、３５ｂ、３５ｃ、３５ｄなどから構成されている。
また、三方電磁弁３５ａ、３５ｂ、３５ｃ、３５ｄはエアーポンプ３１から供給されるエアーをエアーバッグ２１、２２、２３、２４に供給可能とし、各エアーバッグ２１、２２、２３、２４内のエアーを排気するときには各エアーバッグ２１、２２、２３、２４を大気に開放可能とするものである。
上記機器のうち機器室１１には三方電磁弁３５ａ、３５ｂ、３５ｃ、３５ｄが収納されている。
【００２３】
制御装置４は、エアーバッグ装置２を所定運転モードで給排気するようにエアー給排気装置３を制御するものである。より具体的には、制御装置４は、図５に示す運転モードでエアー給排気装置３を制御する。すなわち、先ず最も端部側にあるエアーバッグ２１に対し、三方電磁弁３５ａを連通状態として（エアーバッグ２１をエアーポンプ３１に接続する状態として）一定時間Ｔ１給気し、エアーバッグ２１を一定時間Ｔ１膨張状態に保持し、その後三方電磁弁３５ａを外部開放位置としてエアーバッグ２１を排気して収縮させる。次に、エアーバッグ２１に隣接するエアーバッグ２２に対し、エアーバッグ２１が膨張している間にエアーバッグ２２用の三方電磁弁３５ｂをエアーバッグ２１用の三方電磁弁３５ａと同様に操作して、給気し、その後にエアーバッグ２２を排気する。すなわち、この間の操作においては、エアーバッグ２１の膨張時間とエアーバッグ２２の膨張時間がタイミング的に一定時間Ｔ２オーバーラップするように、エアーバッグ２２用の三方電磁弁３５ｂをエアーバッグ２１用の三方電磁弁３５ａと同様に操作して給排気する。以下同様に、膨張時間においてタイミング的に一定時間Ｔ２オーバーラップするように順次エアーバッグ２３、エアーバッグ２４を膨張収縮させるサイクルを繰り返す（図５参照）。
【００２４】
実施の形態１においては、上記のように、短冊状エアーバッグ２１、２２、２３、２４を並列的に配置し、並列に配置された短冊状エアーバッグ２１、２２、２３、２４を順次膨張収縮させるとともに、先に膨張させたエアーバッグ２１、２２、２３、２４とこれに続いて後から膨張させる隣接のエアーバッグ２１、２２、２３、２４との膨張タイミングを一定時間Ｔ２オーバーラップさせることにより、ローラを転がせたときのように押圧力の作用する部位が連続的に移動する感覚を与える新しいマッサージを行うことができる。
また、実施の形態１による上記運転モードでは、常に一端側から他端側に向けて一方向に順次エアーバッグ２１、２２、２３、２４を膨張収縮させるように制御するので、押圧力の作用する部位が常に一定方向に連続的に移動する感覚を与えるマッサージが可能となる。
また、この場合のマッサージ感覚は、固体ローラを転がして得られる感覚に比し肌当たりが柔らかくし被施療部位に傷みを与えるようなことがない。
また、使用者がマット１上に仰向けに横になったときに脚部がエアーバッグ装置２に当たるようにしているので、脚部の脹脛を効果的にマッサージすることができる。
【００２５】
なお、上記マッサージによるマッサージ効果を高めるには、エアー給排気装置３の吐出風量を５０Ｌ／ｍｉｎ以下、各エアーバッグ２１、２２、２３、２４の内圧を０．５ｋｇｆ／ｃｍ2Ｇ以下、各エアーバッグ２１、２２、２３、２４の長さを５０〜８００ｍｍ、各エアーバッグ２１、２２、２３、２４の幅を５０〜１５０ｍｍ、各エアーバッグ２１、２２、２３、２４の給気時間を０．０５〜１．０ｓｅｃ、隣接するエアーバッグ２１、２２、２３、２４間の給気タイミング時間差Ｔ３（図５参照）を０．０３〜１．０ｓｅｃとし、更に、オーバーラップ時間Ｔ２を各エアーバッグ２１、２２、２３、２４の給気時間の１／３以下することが好ましいことが実験結果として得られた。なお、並列的に配置する短冊状のエアーバッグ２１、２２、２３、２４の個数が３個以下ではこのような条件を付与してもローラを転がせたときのようなマッサージ感覚が得られず、また、４個以上とするのが好ましいことも実験的に確認された。
【００２６】
（実施の形態２）
実施の形態２は、実施の形態１における運転モードを変更したものであり、その内容を図６に基づき説明する。なお、その他の構成は実施の形態１と同様とする。また、図６は本発明の実施の形態２に係る同マット式エアーマッサージ装置におけるエアーバッグの膨張収縮のタイミングを示した図である。
【００２７】
実施の形態２における運転モードは、エアーバッグ２１からエアーバッグ２４に至るように順次エアーバッグを膨張収縮する点は同じであるが、１サイクルはこれで終了するのではなく、エアーバッグ２４の次にエアーバッグ２３、エアーバッグ２２、エアーバッグ２１というように、すなわち、一端側から他端側に向けて往復するようにエアーバッグ２１、２２、２３、２４を順次膨張収縮させることを１サイクルとするものである。
【００２８】
実施の形態２は、このようにエアーバッグ２１、２２、２３、２４を給排気する運転モードを、一端側から他端側に向けて往復するようにエアーバッグ２１、２２、２３、２４を順次膨張収縮させることを１サイクルとするので、押圧力の作用する部位が連続的に往復移動する感覚を与えるマッサージが可能となる。
【００２９】
（実施の形態３）
実施の形態３は、実施の形態１におけるエアーバッグの配置方法と運転モードを変更したものである。この内容を図７に基づき説明する。図７は本発明の実施の形態３に係る同マット式エアーマッサージ装置におけるエアーバッグの平面配置と膨張収縮の状態とを対比して示した図であり、上部にエアーバッグの平面配置を、中間部に収縮時のエアーバッグの側面図を、下部にエアーバッグの膨張時の側面図を対比的に示したものである。なお、その他の構成は実施の形態１と同様とする。
【００３０】
実施の形態３では、マット１上に使用者がマッサージをするために仰向けに横たわった場合に、エアーバッグ２１、２２、２３、２４が使用者の脚部に当たるように並列的に、かつ、マット１の長手方向において部分的に重なるように配置されている。またエアーバッグ２１、２２、２３、２４を給排気する運転モードは、実施の形態１のように給気時間が一定時間Ｔ２オーバーラップすることなく連続的に給排気するようにしたものである。
なお、エアーバッグ２１、２２、２３、２４を順次膨張収縮する１サイクルは、実施の形態１のように一端側から他端側に向けて常に同一方向でエアーバッグ２１、２２、２３、２４を順次膨張収縮させるものとする。
【００３１】
実施の形態３では、短冊状エアーバッグ２１、２２、２３、２４がマット１の上面において長手方向に部分的に重なるように並列して配置されるとともに、先に膨張させたエアーバッグ２１、２２、２３、２４を収縮させると同時にこのエアーバッグ２１、２２、２３、２４に隣接する次のエアーバッグを膨張させているので、実施の形態１と同様の効果を奏することが可能である。
【００３２】
なお、この場合の各エアーバッグ２１、２２、２３、２４は、実施の形態１と同様の大きさとし、更に、エアーバッグ２１、２２、２３、２４の部分的重なり寸法Ｌ（図７参照）を、各エアーバッグ２１、２２、２３、２４の幅寸法の約１／３となるように構成することが好ましい。
このように構成すれば、ローラを転がせたときのように押圧力の作用する部位が連続的に移動する新しいマッサージ感覚をより効果的に発揮させることができる。
【００３３】
なお、本発明は、次のように変更して具体化することも可能である。
（１）  各実施の形態においてエアーバッグ装置２は脚部をマッサージするように配置されていたが、図８に示すように、腰部をマッサージするようにエアーバッグ装置２Ａを配置してもよい。この場合は、ローラを転がせたときのように押圧力の作用する部位が連続的に移動する新しい感覚のマッサージを脚部に対し行うことができる。
【００３４】
（２）  また、各実施の形態においてエアーバッグ装置２は脚部をマッサージするように配置されていたが、図９に示すように、脚部及び腰部をマッサージするようにエアーバッグ装置２及び２Ａを配置してもよい。この場合は、ローラを転がせたときのように押圧力の作用する部位が連続的に移動する新しい感覚のマッサージを脚部と腰部とに対し同時に行うことができる。
【００３５】
（３）  実施の形態１及び２におけるエアーバッグ２１、２２、２３、２４の運転モードに代わり、各エアーバッグ２１、２２、２３、２４の運転モードを、実施の形態１のように一端側から他端側に向けて一方向に順次エアーバッグ２１、２２、２３、２４を膨張収縮させることを１サイクルとする運転モードと、実施の形態２のように一端側から他端側に向けて往復するようにエアーバッグ２１、２２、２３、２４を順次膨張収縮させることを１サイクルとする運転モードとを手動で選択可能に又は自動的に切換可能に構成してもよい。このように構成すると、使用者の好みにより、押圧力の作用する部位が常に一定方向に連続的に移動する感覚を与えるマッサージと、押圧力の作用する部位が連続的に往復移動する感覚を与えるマッサージとを適宜選択したり、ミックスさせて運転したりすることが可能となる。
【００３６】
（４）  実施の形態３において、各エアーバッグ２１、２２、２３、２４を膨張収縮する運転モードを実施の形態２のように一端側から他端側に向けて往復するように各エアーバッグ２１、２２、２３、２４を順次膨張収縮させるようにしてもよい。
【００３７】
【発明の効果】
この発明のマット式エアーマッサージ装置によれば、ローラを転がせたときのように押圧力の作用する部位が連続的に移動する感覚を与える新しいマッサージが可能となる。また、固体ローラを転がせるのと違い弾力性に富んだ押圧力が作用するため、被施療部位に傷みを与えることもなく、快適な感触を得ることができる。
【図面の簡単な説明】
【図１】本発明の実施の形態１に係るマット式エアーマッサージ装置の外観斜視図である。
【図２】同マット式エアーマッサージ装置の上面に綿パッドを示した外観斜視図である。
【図３】同マット式エアーマッサージ装置の配管系統図である。
【図４】同マット式エアーマッサージ装置におけるエアーバッグの平面配置と膨張収縮の状態とを対比して示した図であり、上部にエアーバッグの平面配置を、中間部に収縮時のエアーバッグの側面図を、下部にエアーバッグの膨張時の側面図を対比的に示したものである。
【図５】同マット式エアーマッサージ装置におけるエアーバッグの膨張収縮のタイミングを示した図である。
【図６】本発明の実施の形態２に係る同マット式エアーマッサージ装置におけるエアーバッグの膨張収縮のタイミングを示した図である。
【図７】本発明の実施の形態３に係る同マット式エアーマッサージ装置におけるエアーバッグの平面配置と膨張収縮の状態とを対比して示した図であり、上部にエアーバッグの平面配置を、中間部に収縮時のエアーバッグの側面図を、下部にエアーバッグの膨張時の側面図を対比的に示したものである。
【図８】本発明の一変更例を示したもので、エアーバッグ装置を腰部をマッサージするように配置した例を示す。
【図９】本発明の他変更例を示したもので、エアーバッグ装置を脚部と腰部とをマッサージするように配置した例を示す。
【符号の説明】
１     マット
２     （脚部用）エアーバッグ装置
２Ａ   （腰部用）エアーバッグ装置
３     エアー給排気装置
４     制御装置
５     綿パッド
１１   機器室
２１〜２４    エアーバッグ
２１ａ〜２１ｄ       固定具
３１   エアーポンプ
３２   主エアーホース
３３ａ〜３３ｄ       分岐エアーホース
３５ａ〜３５ｄ       三方電磁弁
Ｔ１   一定時間（給気時間）
Ｔ２   一定時間（オーバーラップ時間）
Ｔ３   給気タイミング時間差
【図１】
2004195117.tif 000003
【図２】
2004195117.tif 000004
【図３】
2004195117.tif 000005
【図４】
2004195117.tif 000006
【図５】
2004195117.tif 000007
【図６】
2004195117.tif 000008
【図７】
2004195117.tif 000009
【図８】
2004195117.tif 000010
【図９】
2004195117.tif 000011